(57)【要約】【課題】  小型コンパクトな構成を維持しつつ、各スライド扉の前後方向の重なり部分を露出させることによりスライド扉の裏側の清掃が容易な昇降扉ユニットを提供する。【解決手段】  把手部材２３は、前板部２３１がスライド扉２０の手前側で左右方向に沿って水平板状に延び、その左右方向の幅がスライド扉２０の左右方向の全幅とほぼ等しく形成されるとともに、後面側に突出する後板部２３２に４個の雌ねじ部２３ｂが形成されている。４本の締付ボルト２４の雄ねじ部２４ｂが、スライド扉２０の後方側から扉固定部材２２の雌ねじ部２２ｂと把手部材２３の雌ねじ部２３ｂとに螺合することにより、把手部材２３は扉固定部材２２に着脱可能に取り付けられている。把持部材２３の前板部２３１は、両端部が中央部側へ向かうにつれて手前側ほど狭くなるような直線状の傾斜部２３ａを有している。【選択図】    図６
2006328878.tif 000002
【特許請求の範囲】
【請求項１】
上下方向のレールが前後方向に沿って複数配置された枠体と、隣接するレール間に各別に収納されるとともに昇降操作用の把手を有する複数のスライド扉とを備え、手前側から各々の把手を昇降操作することにより、各スライド扉が前記レールに沿ってそれぞれ上下方向に昇降移動可能とされた昇降扉ユニットであって、
前記複数のスライド扉のうち最前部を除く後方扉の把手は、
その後方扉に固定される扉固定部材と、
前記複数のスライド扉のうち最前部に位置する前方扉よりも手前側に延設される形態で前記後方扉に配置され、昇降操作の際に把持される把持部材とを含み、
前記後方扉の把手の把持部材は、前記扉固定部材が前記後方扉に固定された状態で、その扉固定部材に着脱可能に取り付けられることを特徴とする昇降扉ユニット。
【請求項２】
上下方向のレールが前後方向に沿って複数配置された枠体と、隣接するレール間に各別に収納されるとともに昇降操作用の把手を有する前後一対のスライド扉とを備え、手前側から各々の把手を昇降操作することにより、各スライド扉が前記レールに沿ってそれぞれ上下方向に昇降移動可能とされた昇降扉ユニットであって、
前記前後一対のスライド扉のうち後方側に位置する後方扉の把手は、
その後方扉の外枠に固定される固定部と、前記後方扉の手前側から後方側に位置する食器棚等の収納庫の内部を透視可能とするための透明板を下側から保持する保持部と、下降時に前記枠体との接触を緩衝するための緩衝材を下側に取り付ける取付部とを有する扉固定部材と、
前記前後一対のスライド扉のうち前方側に位置する前方扉よりも手前側に延設される形態で前記後方扉に配置され、昇降操作の際に把持される把持部材とを含み、
前記後方扉の把手の把持部材は、前記扉固定部材の固定部が前記後方扉の外枠に固定された状態で、その扉固定部材に着脱可能に取り付けられることを特徴とする昇降扉ユニット。
【請求項３】
前記後方扉の把手の把持部材は、前記後方扉の左右方向に沿って水平板状に延び、その後方扉の後方側で複数の締結部材により前記扉固定部材に着脱可能に取り付けられている請求項１又は２に記載の昇降扉ユニット。
【請求項４】
前記後方扉の把手の把持部材は、平面視でその両端部が中央部側へ向かうにつれて手前側ほど狭くなるような傾斜部を有する請求項３に記載の昇降扉ユニット。
【請求項５】
前記後方扉の把手の扉固定部材は、前記後方扉の左右方向に沿って水平状に延びるとともに、その内部には左右方向全幅にわたって空洞部が貫通形成され、その空洞部の両端部が前記固定部として構成されている請求項２に記載の昇降扉ユニット。
【請求項６】
前記前方扉の後面上部には、前記後方扉の上端部と当接してその後方扉の上昇位置を規制する規制部材が配置され、
その規制部材は、前記前方扉に着脱可能に取り付けられている請求項１ないし５のいずれか１項に記載の昇降扉ユニット。
【請求項７】
請求項１ないし６のいずれか１項に記載の昇降扉ユニットを、前面が開放された食器棚等の収納庫の前面に備えることを特徴とする物品収納キャビネット。
【発明の詳細な説明】
【技術分野】
【０００１】
本発明は、昇降扉ユニットと、その昇降扉ユニットを食器棚等の収納庫に用いた物品収納キャビネットに関する。
【背景技術】
【０００２】
例えば、食器棚のように内部に物品を収納する収納庫の開閉扉として、上下スライド式の扉が用いられることがある。このような上下スライド扉を用いた構造として、例えば、枠体の厚さ方向に設けられた２つのガイド溝に、それぞれ枠体全高の約１／２の高さに形成された前方側スライド扉と後方側スライド扉とが、ロープ、ワイヤ等の吊下げ部材で吊下げて収納された（嵌め込まれた）扉構造がある。そして、各スライド扉に設けられた把手を手前側から昇降操作することにより、各スライド扉が対応するガイド溝に沿って枠体内をそれぞれ上下方向に昇降（開閉）移動して、収納物品を出し入れできるようにしている（特許文献１，２参照）。
【０００３】
【特許文献１】特開２００３−１３６６１号公報
【特許文献２】特開２００４−２７８１０３号公報
【０００４】
このような昇降扉ユニットでは、例えば、手前側から後方側（キャビネット内）を透視可能とするために各スライド扉の外枠等に保持されたガラス製、合成樹脂製等の透明板を清掃する際、前後のスライド扉における前後方向の重なり部分（特に、前方側スライド扉の裏側）に拭き残しを生じてしまう。このため、枠体からスライド扉を取り外し、そのスライド扉を分解して透明板を分離（離脱）しなければ、透明板全体を清掃できない（透明度を維持できない）場合がある。
【発明の開示】
【発明が解決しようとする課題】
【０００５】
本発明の課題は、小型コンパクトな構成を維持しつつ、各スライド扉の前後方向の重なり部分を露出させることによりスライド扉の裏側の清掃が容易な昇降扉ユニットと、それを用いた物品収納キャビネットを提供することにある。
【課題を解決するための手段及び発明の効果】
【０００６】
上記課題を解決するために、本発明に係る昇降扉ユニットは、
上下方向のレールが前後方向に沿って複数配置された枠体と、隣接するレール間に各別に収納されるとともに昇降操作用の把手を有する複数のスライド扉とを備え、手前側から各々の把手を昇降操作することにより、各スライド扉が前記レールに沿ってそれぞれ上下方向に昇降移動可能とされた昇降扉ユニットであって、
前記複数のスライド扉のうち最前部を除く後方扉の把手は、
その後方扉に固定される扉固定部材と、
前記複数のスライド扉のうち最前部に位置する前方扉よりも手前側に延設される形態で前記後方扉に配置され、昇降操作の際に把持される把持部材とを含み、
前記後方扉の把手の把持部材は、前記扉固定部材が前記後方扉に固定された状態で、その扉固定部材に着脱可能に取り付けられることを特徴とする。
【０００７】
この昇降扉ユニットによれば、把手の把持部材を後方扉に固定された扉固定部材から離脱（分離）させることにより、前方扉の昇降移動ストロークが大きくなり、各スライド扉の前後方向の重なり部分を露出させることができるようになる。したがって、扉固定部材を後方扉に固定したままでも、各スライド扉の裏側（後面及び後方）の清掃が容易になる。しかも、把手の一部である把持部材を扉固定部材に対して着脱可能とすればよいので、スライド扉（前方扉）を分解せずにすみ、例えば３枚（３段）以上のように多数枚（多数段）のスライド扉を有する昇降扉ユニット（枠体）であっても小型コンパクトに構成できる。
【０００８】
また、上記課題を解決するために、本発明に係る昇降扉ユニットの具体的構成は、
上下方向のレールが前後方向に沿って複数配置された枠体と、隣接するレール間に各別に収納されるとともに昇降操作用の把手を有する前後一対のスライド扉とを備え、手前側から各々の把手を昇降操作することにより、各スライド扉が前記レールに沿ってそれぞれ上下方向に昇降移動可能とされた昇降扉ユニットであって、
前記前後一対のスライド扉のうち後方側に位置する後方扉の把手は、
その後方扉の外枠に固定される固定部と、前記後方扉の手前側から後方側に位置する食器棚等の収納庫の内部を透視可能とするための透明板を下側から保持する保持部と、下降時に前記枠体との接触を緩衝するための緩衝材を下側に取り付ける取付部とを有する扉固定部材と、
前記前後一対のスライド扉のうち前方側に位置する前方扉よりも手前側に延設される形態で前記後方扉に配置され、昇降操作の際に把持される把持部材とを含み、
前記後方扉の把手の把持部材は、前記扉固定部材の固定部が前記後方扉の外枠に固定された状態で、その扉固定部材に着脱可能に取り付けられることを特徴とする。
【０００９】
このような前後一対（２枚）のスライド扉を有する昇降扉ユニットによれば、例えば後方扉において、把手の把持部材を後方扉に固定された扉固定部材から離脱（分離）させることにより、前方扉の昇降移動ストロークが大きくなり、前方扉と後方扉との前後方向の重なり部分を露出させることができるようになる。これによって、扉固定部材を各スライド扉に固定したままでも、前方扉の透明板の裏側（後面）の清掃が容易になり、透明板の透明度を永く維持できる。しかも、扉固定部材を取り外す必要がないため、透明板や緩衝材はスライド扉にセットしたままでよい。このように、把手の一部である把持部材を扉固定部材に対して着脱可能とすればよいので、スライド扉（前方扉）を分解して透明板を分離（離脱）せずにすみ、前後一対のスライド扉を有する昇降扉ユニット（枠体）を小型コンパクトに構成できる。
【００１０】
なお、透明板には、メタクリル樹脂（アクリル樹脂；ＰＭＭＡ）、ポリカーボネート（ＰＣ）等の高分子（合成樹脂）材料やガラス材料が用いられる。また、緩衝材には、モヘヤ製、スポンジ製等のクッション材やばね、ゴム等の弾発部材が用いられる。
【００１１】
これらの昇降扉ユニットでは、後方扉の左右方向に沿って水平板状に延びる後方扉の把手の把持部材を、後方扉の後方側で複数の締結部材により扉固定部材に着脱可能に取り付けることが望ましい。把持部材を取り付ける締結部材が後方扉の裏側（後方側；奥側）に位置するため、昇降扉ユニット（枠体）をさらに小型コンパクトに構成でき、把持部材を昇降操作する際に締結部材が邪魔にならず、把持部材のデザインを損ねることもない。また、把持部材を昇降操作する際に手指等が締結部材に接触しないから、締結部材が緩んで把持部材が不意に落下することもない。なお、締結部材には、ユリア樹脂（ＵＦ）等の高分子（合成樹脂）材料製の頭部にローレット等の刻みを有するボルト等のねじ類（螺合締付具）や、金属製・高分子（合成樹脂）材料製のクランプ類（弾性締付具）が用いられる。
【００１２】
そして、後方扉の把手の把持部材は、平面視でその両端部が中央部側へ向かうにつれて手前側ほど狭くなるような傾斜部を有するように構成できる。後方扉の把持部材の左右方向の幅がスライド扉の左右方向全幅とほぼ等しく形成されていても、このような傾斜部の形成により、後方扉の把持部材の扉固定部材からの着脱が容易に行なえる。また、後方扉の把持部材の左右方向の幅を長く形成できるので、把持部材を着脱可能としたことによる把持部材自身の強度（ひいては把手全体の強度）の低下を抑制できる。なお、後方扉の把持部材の傾斜部の形態（形状）は直線状、曲線状のいずれでもよく、曲線状の場合に外側に凸状、内側に凸状を問わない。
【００１３】
一方、後方扉の左右方向に沿って水平状に延びる後方扉の把手の扉固定部材の内部には、左右方向全幅にわたって空洞部を貫通形成し、その空洞部の両端部を固定部として構成できる。この空洞部は、例えばアルミ製の扉固定部材を押し出し加工（成形）する際の肉盗みとなって、長手方向（左右方向）の反り（曲がり）等を抑制でき、かつ扉固定部材の軽量化とコスト低減を図れる。また、空洞部は、その両端部を扉固定部材の固定部（例えばねじ止め用のねじ孔）として、後方扉の外枠との固定に兼用できる。さらに、把持部材を扉固定部材に着脱するときに固定部（及び止めねじ）を後方扉の外枠から外す必要がないため、把持部材と扉固定部材との着脱を繰り返しても、把手と後方扉（又はガイド溝）との相対位置関係がずれるおそれがない。
【００１４】
さらに、前方扉の後面上部には、後方扉の上端部と当接してその後方扉の上昇位置を規制する規制部材が配置され、その規制部材を前方扉に着脱可能に取り付けることができる。この規制部材は、後方扉の上下昇降時には、前方扉に取り付けられて、後方扉が枠体の天井部と干渉（衝突）するのを防止することができる。一方、前方扉（透明板）の清掃時には、規制部材は前方扉から取り外されて、前方扉と後方扉との前後方向の重なり部分を露出させることが容易となる。
【００１５】
次に、上記課題を解決するために、本発明の物品収納キャビネットは、
上記した昇降扉ユニットを、前面が開放された食器棚等の収納庫の前面に備えることを特徴とする。
【００１６】
このような物品収納キャビネットによれば、スライド扉（前方扉）を分解しなくても各スライド扉の裏側（後面及び後方）の清掃が容易になるので、特に食器棚等の収納庫の場合、長期にわたり清潔感を維持できる。
【発明を実施するための最良の形態】
【００１７】
（実施例）
以下、本発明の実施の形態を図面に示す実施例を参照して説明する。図１は本発明の一実施例に係る物品収納キャビネットの正面図及び側面図を示す。この物品収納キャビネット１００は、内部に食器類を収納する食器棚１（収納庫）と、その前面に配置され食器類の収納・取出しのために上下スライド開閉する昇降扉ユニット３とを備えている。
【００１８】
この昇降扉ユニット３は、前後方向（厚さ方向）に複数（例えば３本）設けられ、かつ上下方向に延びるスライドレール１５を備えた枠体１０と、その枠体１０内を上下昇降するスライド扉２０と、そのスライド扉２０を任意の高さ位置に停止可能に保持するバランス機構３０と、スライド扉２０の落下を阻止する落下防止機構６０とを備えている。なお、以下の実施例の記載では、枠体１０の厚さ方向において食器棚１の設置側を後方側、その反対側を前方側（又は手前側）と称し、左側、右側というときは正面図（図１（ａ））における向きを指す。
【００１９】
枠体１０は、図２（又は図３）にも示すように、例えばアルミ製の左右の縦枠１１，１２、上枠１３、下枠１４によって正面視縦長の矩形状に組み立てられており、各枠１１，１２，１３，１４の内面の前半部には、内側に向かって起立する３本のガイドレール１５が各々形成されている。そして、隣接するガイドレール１５の各対向面（以下、レール対向面という）１５ａの間に形成された２つのガイド溝１６に、それぞれ枠体１０の全高の約１／２の高さに形成された前方扉２０Ｆ（前方側スライド扉）と後方扉２０Ｒ（後方側スライド扉）とが嵌め込まれている。
【００２０】
前方扉２０Ｆと後方扉２０Ｒとはともに、左右の縦枠１１，１２に形成された上下方向に延びるガイドレール１５をスライド案内用レールとして、その間に形成されたガイド溝１６に沿って枠体１０内を上下方向に昇降移動するスライド扉２０を構成している。なお、以下においてスライド扉２０というときは、前方扉２０Ｆ、後方扉２０Ｒを含んで用いる。
【００２１】
さらに、このようなスライド扉２０を任意の高さ位置に停止可能に保持するためのバランス機構３０は、スライド扉２０を吊り下げ支持する滑車ユニット４０と、スライド扉２０を上方に引張るように付勢するコイルスプリング５０（付勢部材）とを有している。ここでは、バランス機構３０を模式的に示す図２及び図３に基いて説明する。
【００２２】
図２（ａ）において、前方扉２０Ｆがスライドレール１５（前方側のガイド溝１６）の上半部に位置し、後方扉２０Ｒがスライドレール１５（後方側のガイド溝１６）の下半部に位置して、それぞれ停止した状態に保持されている。バランス機構３０は、前方扉２０Ｆ及び後方扉２０Ｒに対して各一対、すなわち各々左右の縦枠１１，１２の内側面に１組ずつ合計４組装備されている。図２（ａ）では、そのうち右側縦枠１２の内側面に装着され、前方扉２０Ｆと後方扉２０Ｒとをそれぞれ保持する２組のバランス機構３０Ｆ，３０Ｒを図示している。
【００２３】
この２組のバランス機構３０Ｆ，３０Ｒの構造は後述する点においてのみ相違するので、ここでは前方扉２０Ｆを保持するバランス機構３０Ｆについて説明する。バランス機構３０Ｆを構成する滑車ユニット４０は、１又は複数（例えば２つ）の定滑車４１，４２と１つの動滑車４３の組み合わせからなる滑車群４１〜４３を有する。また、滑車ユニット４０には、これらの滑車群４１〜４３に対して、一端側が枠体１０に、他端側が前方扉２０Ｆにそれぞれ固定され、前方扉２０Ｆを吊り下げ支持する樹脂製、スチール製等のワイヤ４４（吊下げ部材）が巻き掛けてある。
【００２４】
具体的には、一端側が右側縦枠１２の内側面に固定ピン等の固定部材４５により固定されたワイヤ４４は、動滑車４３→定滑車４２→定滑車４１に順次巻き掛けられ、他端側が落下防止機構６０を介して前方扉２０Ｆに固定される。右側縦枠１２において、最後尾のスライドレール１５と後部レール１７との間に形成される後部空間には、上下方向にほぼ２等分する形態で仕切りレール１８が設けられている。そして、動滑車４３の中心軸４３ａを支持するスライダ４６が、後部レール１７と仕切りレール１８との間に上下方向スライド可能に挿入されている。
【００２５】
さらに、バランス機構３０は、動滑車４３と枠体１０（右側縦枠１２）との間に掛け渡して設けられ、その動滑車４３の軸心を常時下方に引張り付勢することにより、ワイヤ４４を介して前方扉２０Ｆを上方に引張るように付勢するコイルスプリング５０（付勢部材）を有する。具体的には、動滑車４３の中心軸４３ａを支持するスライダ４６に、コイルスプリング５０の一端を支える支持ピン５１を固定し、コイルスプリング５０の他端は、枠体１０（右側縦枠１２）のスライドレール１５及び後部レール１７の間に固定される固定部５３に支持ピン５２を介して保持されている。コイルスプリング５０の引張力は前方扉２０Ｆの重量とほぼ釣り合うように設定され、前方扉２０Ｆの下端部にほぼ全幅にわたって形成された把手２１（図１（ａ）参照）を持って上下方向にスライドさせる際少しの力ですむようにされている。コイルスプリング５０は、前方扉２０Ｆがガイド溝１６に沿って上下移動したとき、動滑車４３の軸心が自身の回転につれて上下移動するのに対応して、上下方向に伸長又は収縮し、それにつれてその引張力も少しずつ増加又は減少する。
【００２６】
一方、後方扉２０Ｒを保持するバランス機構３０Ｒは、滑車ユニット４０のコンパクト化を図るために１つの定滑車４１’で構成される点において、既述のバランス機構３０Ｆと異なっている。そこで、バランス機構３０Ｒにおいて、バランス機構３０Ｆと共通する部分には、同一符号を付して説明を省略する。
【００２７】
図１に戻り、前方扉２０Ｆの裏面（後面）上端部の左右には、後方扉２０Ｒの上面（上端部）と当接して後方扉２０Ｒの上昇位置を規制するストッパ２５（規制部材）がそれぞれ配置されている（図２，図３，図４参照）。
【００２８】
次に、前方扉２０Ｆ及び後方扉２０Ｒの上下スライド調節は次のようにして行われ、バランス機構３０Ｆ，３０Ｒは次のように作動する。
（１）図２（ａ）の扉閉鎖状態において、前方扉２０Ｆの把手２１を持って下方向に少し力を加えると、前方扉２０Ｆは、バランス機構３０Ｆのコイルスプリング５０を伸長させながら、その底面部２０ａが後方扉２０Ｒの把手２１の上面に接するまで（あるいは、ストッパ２５の下面が後方扉２０Ｒの上面に接するまで）、下方向にスライドして扉上半部を開放することができる（図２（ｂ））。このとき、この行程の途中で下方向への加圧を中止すると、既述のコイルスプリング５０の引張力と前方扉２０Ｆの重量との釣り合い関係及び前方扉２０Ｆとスライドレール１５との間の摩擦等によって、前方扉２０Ｆは任意の高さ位置に停止しその状態を保持する。
【００２９】
（２）図２（ｂ）の扉開放状態において、前方扉２０Ｆの把手２１を持って上方向に少し力を加えると、前方扉２０Ｆは、バランス機構３０Ｆのコイルスプリング５０を収縮させながら、前方扉２０Ｆの上面が上枠１３に接するまで上方向にスライドして再び閉鎖状態とすることができる（図２（ａ））。なお、（１）と同様に、前方扉２０Ｆは任意の高さ位置に停止可能にその状態を保持される。
【００３０】
（３）図２（ａ）の扉閉鎖状態において、後方扉２０Ｒの把手２１を持って上方向に少し力を加えると、後方扉２０Ｒは、バランス機構３０Ｒのコイルスプリング５０を収縮させながら、その把手２１の上面が前方扉２０Ｆの底面部２０ａに接するまで（あるいは、後方扉２０Ｒの上面がストッパ２５の下面に接するまで）、上方向にスライドして扉下半部を開放することができる（図３（ａ））。なお、（１）と同様に、後方扉２０Ｒは任意の高さ位置に停止可能にその状態を保持される。
【００３１】
（４）図２（ｂ）の扉開放状態において、後方扉２０Ｒの把手２１を持って上方向に少し力を加えると、前方扉２０Ｆ及び後方扉２０Ｒは、バランス機構３０Ｆ，３０Ｒのコイルスプリング５０，５０を収縮させながら、前方扉２０Ｆの上面が上枠１３に接するまで上方向にスライドして扉下半部を開放することができる（図３（ａ））。なお、（１）と同様に、前方扉２０Ｆ及び後方扉２０Ｒは任意の高さ位置に停止可能にその状態を保持される。
【００３２】
ところで、図３（ｂ）に示すように、前方扉２０Ｆと後方扉２０Ｒとに対応するバランス機構３０Ｆ，３０Ｒのコイルスプリング５０，５０が、互いに隣接する形で枠体１０（右側縦枠１２）の内側面に配置され、これらコイルスプリング５０，５０の枠体１０への固定部５３が上下方向に一斉に移動調整可能とされている。なお、固定部５３を移動調整可能とする具体的構造は、例えば特開２００３−１３６６１号公報（特許文献１）の図４に示す公知の構造を採用できるので、ここでは説明を省略する。
【００３３】
さらに、図１（ａ）あるいは図２（ａ）等に表わされているように、互いに対向するスライド扉２０（前方扉２０Ｆ又は後方扉２０Ｒ）の外側面と枠体１０の内側面とのうちの一方の面（実施例では前方扉２０Ｆ及び後方扉２０Ｒの外側面）に落下防止機構６０が固定され、ワイヤ４４が切断されたとき、前方扉２０Ｆ又は後方扉２０Ｒの落下を阻止するようにされている。そして、図１（ａ）からも明らかな通り、落下防止機構６０は、前方扉２０Ｆ及び後方扉２０Ｒの外側面に対して各一対、すなわち各々左右の外側面に１個ずつ合計４個同じものが装着されている。なお、落下防止機構６０の具体的構造は、例えば特開２００３−１３６６１号公報（特許文献１）の図５に示す公知の構造を採用できるので、ここでは説明を省略する。
【００３４】
次に、図４は前方扉の正面図及び側面図、図５は後方扉の正面図及び側面図を示す。図４に示すように、前方扉２０Ｆは、正面視矩形状の透明な（食器棚１を透視可能な）アクリル板２９（透明板）の周囲に、左右の縦フレーム２７，２７（外枠）と上端部の上フレーム２８と下端部の下フレーム２１とが取り付けられており、このうち下フレーム２１は既述の把手（図１（ａ）参照）を構成している。また、前方扉２０Ｆの裏面（後面）上端部の左右には、既述の通りストッパ２５（規制部材）がそれぞれ配置されている。
【００３５】
一方、図５に示すように、後方扉２０Ｒも、正面視矩形状の透明な（食器棚１を透視可能な）アクリル板２９（透明板）の周囲に、左右の縦フレーム２７，２７（外枠）と上端部の上フレーム２８と下端部の下フレーム２１とが取り付けられており、このうち下フレーム２１は既述の把手（図１（ａ）参照）を構成している。
【００３６】
これらの前方扉２０Ｆや後方扉２０Ｒ（スライド扉２０）の下フレーム２１を構成する把手は、図６に示すような共通の構造を有している。具体的には、把手２１は、縦フレーム２７（スライド扉２０）に固定されるアルミ製の扉固定部材２２と、スライド扉２０の手前側に配置され、昇降操作の際に把持されるアルミ製の把持部材２３とを含む。
【００３７】
図７に示すように、扉固定部材２２は、スライド扉２０の縦フレーム２７に固定される固定部２２１と、スライド扉２０の手前側から後方側を透視可能とするためのアクリル板２９を下側から保持する保持部２２２と、下降時に枠体１０（下枠１４）との接触を緩衝するためのモヘヤ製のクッション材３０（緩衝材）を下側に向けて取り付ける取付部２２３とを有する。
【００３８】
この扉固定部材２２は、スライド扉２０の左右方向に沿って水平状に延び、固定部２２１の内部には左右水平方向全幅にわたって複数（例えば上下２段）の空洞部２２１ａが貫通形成されている。これら２段の空洞部２２１ａは断面円形状に形成されるとともに、固定部２２１の上下方向中間部で前後方向水平状に形成された凹部２２１ｃに上下方向から臨んでそれぞれ開口している。つまり、空洞部２２１ａは、扉固定部材２２を押し出し加工（成形）する際の肉盗みとなり、長手方向（左右方向）の反り（曲がり）等を抑制し、かつ扉固定部材２２の軽量化とコスト低減を図っている。また、空洞部２２１ａの両端部は、止めねじ２２１ｂ（固着部材）をねじ止めするためのねじ孔となり、扉固定部材２２の固定部２２１として、スライド扉２０の縦フレーム２７との固定に兼用される（図４（ｂ），図５（ｂ）参照）。なお、固定部２２１の凹部２２１ｃに連続して雌ねじ部２２ｂが前後方向水平状に形成されている。
【００３９】
図８及び図６に示すように、把手部材２３は、前板部２３１がスライド扉２０の手前側で左右方向に沿って水平板状に延び、その左右方向の幅がスライド扉２０の左右方向の全幅とほぼ等しく形成されるとともに、後面（背面）側に突出する後板部２３２に複数（例えば４個）の雌ねじ部２３ｂが形成されている。この把持部材２３は、扉固定部材２２の固定部２２１がスライド扉２０の縦フレーム２７に固定された状態（図４（ｂ），図５（ｂ）参照）で、扉固定部材２２に着脱可能に取り付けられている。
【００４０】
具体的には、把手部材２３の後板部２３２が固定部２２１（扉固定部材２２）の凹部２２１ｃに挿入される。そして、複数（例えば４本）の締付ボルト２４（螺合締付具；締結部材）の雄ねじ部２４ｂが、スライド扉２０の後方側から扉固定部材２２（固定部２２１）の雌ねじ部２２ｂと把手部材２３の雌ねじ部２３ｂとに螺合することにより、把手部材２３は扉固定部材２２に着脱可能に取り付けられている。なお、締付ボルト２４は、ユリア樹脂（ＵＦ）製の頭部にローレット等の刻みを有する。また、図８（ａ）及び図６（ａ）に示すように、把持部材２３の前板部２３１は、両端部が中央部側へ向かうにつれて手前側ほど狭くなるような直線状の傾斜部２３ａ（勾配）を有している。
【００４１】
図９及び図４に示すように、前方扉２０Ｆの後面に設置されるストッパ２５は、複数（例えば４本）のストッパ締付ボルト２６（ストッパ螺合締付具；ストッパ締結部材）により前方扉２０Ｆに着脱可能に取り付けられている。なお、ストッパ締付ボルト２６は、ユリア樹脂（ＵＦ）製の頭部にローレット等の刻みを有する。
【００４２】
以上のような昇降扉ユニット３では、前方扉２０Ｆのアクリル板２９の裏側（後面）の清掃は、例えば次のようにして行なうことができる。
［１］まず、図２（ｂ）に示す扉上部開放状態において、前方扉２０Ｆのストッパ締付ボルト２６（図９参照）を外して、ストッパ２５を前方扉２０Ｆから離脱（分離）させる。
【００４３】
［２］次に、図３（ａ）に示す扉下部開放状態において、後方扉２０Ｒの把手２１を固定する締付ボルト２４を外して（雄ねじ部２４ｂと雌ねじ部２２ｂ，２３ｂとの螺合を解いて）、把持部材２３を扉固定部材２２から離脱（分離）させる（図６参照）。
【００４４】
［３］このように、把持部材２３とストッパ２５とを外すことによって、前方扉２０Ｆは昇降移動ストロークが大きくなり、図３（ａ）の位置よりもさらに下方に移動できるようになる（図１０参照）。したがって、前方扉２０Ｆと後方扉２０Ｒとの前後方向の重なり部分（具体的には前方扉２０Ｆの下端部後面と後方扉２０Ｒの上端部前面）が露出するので、前方扉２０Ｆのアクリル板２９の裏側（後面）の清掃が楽に行なえるようになる。このとき、固定部２２１（止めねじ２２１ｂ）は後方扉２０Ｒの縦フレーム２７から取り外す必要がないため（図５（ｂ）参照）、アクリル板２９やクッション材３０もスライド扉２０にセットしたままでよい（図７（ｃ）参照）。
【００４５】
このように、把手２１の一部である把持部材２３のみを扉固定部材２２から取り外せばよいので、アクリル板２９の清掃の際にスライド扉２０を分解しなくてよい。しかも、把持部材２３の両端部は中央部側へ向かうにつれて手前側ほど狭くなるような傾斜部２３ａを有しているので、把持部材２３の一端側を中心として他端側を中央部側へ回動させれば、把持部材２３を扉固定部材２２から容易に取り外すことができる。
【００４６】
（変形例）
図１１にスライド扉の配置変更例を示す。図１１のスライド扉２０（昇降扉ユニット３）は、前方扉２０Ｆ，中間扉２０Ｍ，後方扉２０Ｒの前後３段で構成され、各扉２０Ｆ，２０Ｍ，２０Ｒの下端部に取り付けられた把手２１，２１，２１はいずれも前方扉２０Ｆよりも手前側に突出している。そして、扉閉鎖状態では前方の扉ほど高位置となり、各扉２０Ｆ，２０Ｍ，２０Ｒには前後方向の重なりが生じる。このような場合でも、各扉２０Ｆ，２０Ｍ，２０Ｒの前後方向の重なり部分を露出させるために、少なくとも中間扉２０Ｍ及び後方扉２０Ｒの把手２１，２１（把持部材）をそれぞれ着脱可能とすることによって、各扉２０Ｆ，２０Ｍ，２０Ｒの裏側の清掃が容易になる。
【００４７】
図１２にスライド扉の他の配置変更例を示す。図１２のスライド扉２０（昇降扉ユニット３）は、前方扉２０Ｆ，後方扉２０Ｒの前後２段で構成され、両扉２０Ｆ，２０Ｒの上端部に取り付けられた把手２１，２１はいずれも前方扉２０Ｆよりも手前側に突出している。そして、扉閉鎖状態では後方扉２０Ｒの方が前方扉２０Ｆよりも高位置となり、両扉２０Ｆ，２０Ｒには前後方向の重なりが生じる。このような場合でも、両扉２０Ｆ，２０Ｒの前後方向の重なり部分を露出させるために、少なくとも後方扉２０Ｒの把手２１（把持部材）を着脱可能とすることによって、両扉２０Ｆ，２０Ｒの裏側の清掃が容易になる。
【００４８】
以上で述べた通り、本発明には、図１１のように３以上の扉を有する場合や、図１２のように把手２１がスライド扉２０の下端部以外の位置にある場合等を含む。なお、本発明の昇降扉ユニットは、食器棚以外の物品収納キャビネットは勿論、例えばエレベータ用ドアや車両用又は建具用の上下昇降窓（上げ下げ窓ともいう）等にも適用することができる。
【図面の簡単な説明】
【００４９】
【図１】本発明の一実施例に係る物品収納キャビネットの正面図及び側面図。
【図２】バランス機構の作動説明図。
【図３】図２に続く作動説明図。
【図４】前方扉の正面図及び側面図。
【図５】後方扉の正面図及び側面図。
【図６】把手の平面図、正面図及び拡大側面断面図。
【図７】扉固定部材の平面図、正面図及び拡大側面断面図。
【図８】把持部材の平面図、正面図及び拡大側面断面図。
【図９】規制部材の取付状態を示す側面図。
【図１０】把持部材と規制部材とを取り外した状態を示す作動説明図。
【図１１】スライド扉の配置変更例を示す説明図。
【図１２】スライド扉の他の配置変更例を示す説明図。
【符号の説明】
【００５０】
１        食器棚（収納庫）
３        昇降扉ユニット
１０      枠体
１５      スライドレール（レール）
１６      ガイド溝
２０      スライド扉
２０Ｆ    前方扉（前方側スライド扉）
２０Ｒ    後方扉（後方側スライド扉）
２１      把手（下フレーム）
２２      扉固定部材
２２１    固定部
２２１ａ  空洞部
２２１ｂ  止めねじ（固着部材）
２２２    保持部
２２３    取付部
２３      把持部材
２３ａ    傾斜部
２４      締付ボルト（螺合締付具；締結部材）
２５      ストッパ（規制部材）
２６      ストッパ締付ボルト（ストッパ螺合締付具；ストッパ締結部材）
２７      縦フレーム（外枠）
２８      上フレーム
２９      アクリル板（透明板）
３０      クッション材（緩衝材）
１００    物品収納キャビネット
【図１】
2006328878.tif 000003
【図２】
2006328878.tif 000004
【図３】
2006328878.tif 000005
【図４】
2006328878.tif 000006
【図５】
2006328878.tif 000007
【図６】
2006328878.tif 000008
【図７】
2006328878.tif 000009
【図８】
2006328878.tif 000010
【図９】
2006328878.tif 000011
【図１０】
2006328878.tif 000012
【図１１】
2006328878.tif 000013
【図１２】
2006328878.tif 000014